(57)【要約】【課題】円筒部とその中央後端部の直進排出部との接続部に刈り取った芝草類が堆積するおそれのないモーアデッキを備えた芝刈機を提供すること。【解決手段】モーアデッキ１６の円筒部１６ａの中央後端部に設けた直進排出部である案内ガイド１６ｂをシュータ１４に接続し、円筒部１６ａ、１６ａ内には芝草類を刈り取るための一対の刈刃５、５をそれぞれ並列配置し、該刈刃５、５を鉛直軸周りに互いに内向きに回転させて、芝草類を案内ガイド１６ｂに導く構成として、円筒部１６ａと案内ガイド１６ｂの接続部１６ｘに詰まった芝草類を芝草類除去手段４５、４６、４８で除去する。【選択図】図４
2008182997.tif 000002
【特許請求の範囲】
【請求項１】
芝草類を刈り取るための一対の刈刃（５、５）を内装するモーアデッキ（１６）を備えたモーア（６）と該モーア（６）で刈り取った芝草類を搬送するシュータ（１４）とを備えた芝刈機において、
モーアデッキ（１６）は平面視で左右の円筒部（１６ａ、１６ａ）とその中央後端部の直進排出部である案内ガイド（１６ｂ）を備え、該円筒部（１６ａ、１６ａ）内には刈刃（５、５）をそれぞれ並列配置し、該刈刃（５、５）を鉛直軸周りに互いに内向きに回転させて、案内ガイド（１６ｂ）に導き、該案内ガイド（１６ｂ）をシュータ（１４）に接続した構成であり、前記円筒部（１６ａ、１６ａ）と案内ガイド（１６ｂ）との接続部（１６ｘ、１６ｘ）に詰まった芝草類を除去する芝草類除去手段（４５、４６、４８）を該接続部（１６ｘ、１６ｘ）に備えたことを特徴とする芝刈機。
【請求項２】
モーア（６）の昇降を行う昇降手段を設け、該昇降手段に前記芝草類除去手段（４８）と連動する連動機構（４７など）を備えたことを特徴とする請求項１記載の芝刈機。
【請求項３】
シュータ（１４）の中間部を芝刈機本体からワンタッチで着脱できる着脱機構（１４ａ１、１４ａ２、１４ｂ１、１４ｃ１）を備えたことを特徴とする請求項１記載の芝刈機。
【発明の詳細な説明】
【技術分野】
【０００１】
この発明は、芝草または雑草等（以下、芝草類）を刈り取る乗用型又は歩行型芝刈機に関するものである。
【背景技術】
【０００２】
従来、乗用芝刈機には、左右一対の刈刃を備え、左右の刈刃を位相をずらせ、かつ回転領域を一部重複させて互いに内側方向に回転させると共に、少なくともこの左右の刈刃の前方を該刈刃の回転軌跡外周に沿わせて円弧状に形成した円筒部を有するモーアデッキで覆う構成のものが知られている。
【０００３】
前記芝刈機は、モーアデッキ内で刈り取られた芝草を刈刃の回転により生じる風を効率良く使って後方のコレクタへ排出するために、モーアデッキを同刈刃の回転軌跡外周に沿わせた円筒部状に形成し、左右の刈刃を互いに内側方向に回転させる回転領域を一部重複させ、円筒部の中央後端部には刈り取った芝草類を後方に向けて排出させる直進排出部を有するもので良く用いられている。
【特許文献１】特開２００５−３２３５４９号公報（図４）
【発明の開示】
【発明が解決しようとする課題】
【０００４】
前記従来のモーアデッキ構造の円筒部とその中央後端部の直進排出部との接続部に、刈り取った芝草類が堆積して、芝草類の刈取作業を続行できなくなることがしばしばあった。  
本発明の課題は、前記円筒部とその中央後端部の直進排出部との接続部に刈り取った芝草類が堆積するおそれのないモーアデッキを備えた芝刈機を提供することである。
【課題を解決するための手段】
【０００５】
本発明の上記課題は次の解決手段により解決される。  
請求項１記載の発明は、芝草類を刈り取るための一対の刈刃（５、５）を内装するモーアデッキ（１６）を備えたモーア（６）と該モーア（６）で刈り取った芝草類を搬送するシュータ（１４）とを備えた芝刈機において、モーアデッキ（１６）は平面視で左右の円筒部（１６ａ、１６ａ）とその中央後端部の直進排出部である案内ガイド（１６ｂ）を備え、該円筒部（１６ａ、１６ａ）内には刈刃（５、５）をそれぞれ並列配置し、該刈刃（５、５）を鉛直軸周りに互いに内向きに回転させて、案内ガイド（１６ｂ）に導き、該案内ガイド（１６ｂ）をシュータ（１４）に接続した構成であり、前記円筒部（１６ａ、１６ａ）と案内ガイド（１６ｂ）との接続部（１６ｘ、１６ｘ）に詰まった芝草類を除去する芝草類除去手段（４５、４６、４８）を該接続部（１６ｘ、１６ｘ）に備えた芝刈機である。
【０００６】
請求項２記載の発明は、モーア（６）の昇降を行う昇降手段を設け、該昇降手段に前記芝草類除去手段（４８）と連動する連動機構（４７など）を備えた請求項１記載の芝刈機である。  
請求項３記載の発明は、シュータ（１４）の中間部を芝刈機本体からワンタッチで着脱できる着脱機構（１４ａ１、１４ａ２、１４ｂ１、１４ｃ１）を備えた請求項１記載の芝刈機である。
【発明の効果】
【０００７】
請求項１記載の発明によれば、モーア（６）で刈り取った芝草類をコレクタ（１５）まで搬送する途中でモーアデッキ（１６）の円筒部（１６ａ）と案内ガイド（１６ｂ）の接続部に溜まり易い芝草類を芝草類除去手段（４５、４６、４８）で容易に除去できる。
【０００８】
請求項２記載の発明によれば、請求項１記載の発明の効果に加えて、モーア（６）の昇降に連動して芝草類除去手段（４８）が作動するので、モーア（６）の昇降に連動して円筒部（１６ａ）と案内ガイド（１６ｂ）の接続部から芝草類が芝草類除去手段（４８）で容易に除去できる。
【０００９】
請求項３記載の発明によれば、請求項１記載の発明の効果に加えて、シュータ（１４）の中間部を芝刈機本体からワンタッチで着脱できるので、シュータ（１４）を機体から脱離させた後にシュータ（１４）内部に付着した芝草類を容易に除去できる。
【発明を実施するための最良の形態】
【００１０】
以下、この発明の実施例を図面と共に説明する。  
本実施例の乗用芝刈機の左側面図を図１（ａ）に示し、その一部駆動機構図を図１（ｂ）に示し、平面図を図２に示す。なお本発明では芝刈機の前進方向に向かって左右方向をそれぞれ左側、右側といい、前進方向を前側、後進方向を後側ということにする。
【００１１】
走行機体の前部と後部にそれぞれ前輪３、３と後輪４、４を備え、機体の前部の下方において前輪３、３と後輪４、４との間には刈刃５を有する芝草刈り取り用のモーア６が設けられ、機体の前部上方のフロア７にはステアリングコラム８を立設し、該コラム８の上部にはハンドル１０が設けられている。またハンドル１０の後方には操縦席１１を設け、前記機体の前部には図示しないエンジンを備え、操縦席１１の下方には静油圧式無段変速装置（ＨＳＴ）を備えたミッションケース１２が設けられている。  
なお、前記ＨＳＴではモータ出力がミッションケース１２内に導かれ、所定のギヤ変速によって減速された出力が図外デフ機構を経て左右の後輪４、４が駆動される。
【００１２】
また、モーアデッキ１６の中央部で一部が重合する一対の円筒部１６ａ内の刈刃５により刈り取られた芝草は、モーアデッキ１６の後部中央の排出口から短筒状の案内ガイド１６ｂに導かれ、該案内ガイド１６ｂに接続したシュータ１４を経由して後方のコレクタ１５に空気搬送される。
【００１３】
なお、刈刃５は、回転前位側に刃縁５Ａを形成するとともに、回転後位側には起風翼５Ｂを形成している。刃縁５Ａで刈り取られた芝草は、起風翼５Ｂによって持ち回されてデッキ後部の案内ダクト１６ｂからシュータ１４に案内される。なお、刈刃５の回転によって発生する起風は芝草を後方のコレクタ１５まで吹き飛ばし得る構成である。
【００１４】
また、刈刃５、５の回動軸（３８、４０）を結ぶ仮想線は機体の前後方向に対して所定の角度を持って傾斜配置されているので、進行方向と直交する所定幅寸法内に径大の刈刃５、５を備えさせることができ、刈取り能力の高いモーア６を構成できる。
【００１５】
図１（ａ）の側面図に示すエンジン（図示せず）からの動力を受ける伝動軸２０が操縦席１１の下方に配置された伝動ケース２１より前側に突出する入力軸２２に連結されている。  
伝動ケース２１には、その内部のベベルギヤ機構を介して下方に突出する第１出力軸２４と、右側方に突出する第２出力軸２５（図２）を設けている。
【００１６】
また、図１（ｂ）の機構図に第１出力軸２４により駆動される縦軸２６、２７の連動関係を示す。第１出力軸２４に固着したプーリ２４ａから縦軸２６、２７にそれぞれ固着したプーリ２６ａ、２７ａを介して伝動ベルト２９を掛け回している。なお、縦軸２６はＨＳＴ冷却ファン３０の回動軸とし、縦軸２７はＨＳＴのポンプ軸とする。
【００１７】
第２出力軸２５に設けたプーリ２５ａと、モーアデッキ１６の右側の伝動ケース３１のデッキ中央側に設けた入力プーリ３２ａとの間に伝動ベルト３４を掛け回す。伝動ベルト３４はクラッチレバー５１の操作によって作動するテンションプーリ３５で緊張又は弛緩される。
【００１８】
モーア６の伝動構成について説明する。上記入力プーリ３２ａの駆動力は縦軸３７に伝達され、該縦軸３７に設けられたギヤ３７ａと該ギア３７ａに噛合するギア３８ａとにより伝動され、第１刈刃軸３８を矢印イ方向に正転させる。また、ギヤ３７ａを支持する縦軸３７のモーアデッキ１６の外側に突出した部分にプーリ３７ｂを固着し、該プーリ３７ｂから第２刈刃軸４０に固着したプーリ４０ａをベルト４１により連動させて、この第２刈刃軸４０を矢印ロ方向に逆転させる。このときモーアデッキ１６の外側に設けたテンションプーリ４２にベルト４１が掛け渡され、また、モーアデッキ１６の壁面外側に支持されたテンションアーム４３の先端のテンションプーリ４４でベルト４１が緊張又は弛緩される。なお、第１、第２刈刃軸３８、４０にはそれぞれ刈刃５、５を装着している。
【００１９】
なお、図３にプーリ３８ａ、４０ａとベルト４１とテンションプーリ４２の平面配置図を示すが、テンションプーリ４２の軸心４２ａとテンションアーム４３の軸心４３ａを兼用することによって、コストダウンを図ることができる。即ち、モーアデッキ１６の上面の上方膨出部に張りベルト４１を配置しないようにするために、平面視でヘ字状を呈するようテンションプーリ４２を設けるが、このテンションプーリ４２の軸心４２ａとベルト緊張又は弛緩用のテンションアーム４３の軸心４３ａを一致させる構成である。このように構成すると、軸心構成を２ケ所設ける必要がなく構成の簡素化が可能である。
【００２０】
モーアデッキ１６は平面視で円筒部１６ａとその中央後端部の直進排出部（案内ガイド）１６ｂとの接続部１６ｘ（図４参照）に刈り取った芝草類が引っ掛かり易く、堆積してしまい、後続の刈り取った芝草類を搬送できなくなるおそれがあるが、本実施例のモーアデッキ１６ではそれを防ぐために、次のような幾つかの構成を採用できる。
【００２１】
まず、図４のモーアデッキ１６の斜視図に示す構成例は、案内ガイド１６ｂの左右の内壁部に設けた側板４５、４５を観音開きに回動させることで確実に前記案内ガイド１６ｂの内壁部に詰まった草類を除去する構成である。側板４５は案内ガイド１６ｂの外側に設けた側板ハンドル４５ａを手動で操作して回動する。該ハンドル４５ａは一方の側板４５の回動軸４５ｂに取り付けられ、該回動軸４５ｂと一体のアーム４５ｃにリンク部材４５ｄの一端が回動自在に取り付けられ、該リンク部材４５ｄの他端がもう一方の側板４５の回動軸４５ｂと一体のアーム４５ｃに回動自在に取り付けられている。
【００２２】
したがって、ハンドル４５ａの操作で一対の側板４５、４５の観音開きが可能になる。モーア６で芝草類を刈り取る場合には一対の側板４５、４５を開いておき、該側板４５、４５上に堆積した芝草類は側板４５、４５を閉じると、人力で容易に除去できる。
【００２３】
図５（ａ）のモーアデッキの全体斜視図と図５（ｂ）のモーアデッキの円筒部側から見た部分斜視図と図５（ｃ）のモーアデッキ内部の平面図に示す構成例は、円筒部１６ａと案内ガイド１６ｂとの接続部１６ｘの円筒部１６ａ側の壁面に詰まった芝草類を除去する構成である。
【００２４】
円筒部１６ａの左右壁面の上部に左右芝草類除去アーム４６を回動自在に軸支し、左右除去アーム４６に固着した回動軸４６ａをデッキ１６の壁面を貫通させて該壁面の外側でアーム４６ｂに固着して取り付けて、該アーム４６ｂの先端部に操作レバー４６ｃを回動自在に取り付ける。操作レバー４６ｃをモーアデッキ１６の外部から矢印Ａ方向にスライド操作することで、左右芝草類除去アーム４６を矢印Ｂ方向に回動させて円筒部１６ａの左右壁面に堆積した芝草類を除去するものである。
【００２５】
図６のモーアデッキ１６の全体斜視図に示す構成例は、円筒部１６ａと案内ガイド１６ｂとの接続部１６ｘの案内ガイド１６ｂの内壁部側に詰まった芝草類を除去する構成である。案内ガイド１６ｂの外壁に設けた支持部１６ｃにワイヤ４７のアウタワイヤ４７ａ側の一端を接続する。該ワイヤ４７のインナワイヤ４７ｂは図示しないモーア上下動用のリンク機構に連動している。
【００２６】
また、前記インナワイヤ４７ｂの先端部はアーム４９の一端に回動自在に接続し、該アーム４９の他端は案内ガイド１６ｂの壁面を貫通してガイド内側に達する回動軸４８ａに固着している。該回動軸４８ａには芝草類除去アーム４８の下端部が固着している。該回動軸４８ａは案内ガイド１６ｂの壁面に対して回動自在に取り付けられているので、ワイヤ４７を上下方向（矢印Ａ方向）に移動させると、芝草類除去アーム４８は矢印Ｂ方向に回動するので、モーア６が上下動すると、これに連動する図示しないリンク機構と共にインナワイヤ４７ｂが作動し、芝草類除去アーム４８も矢印Ｂ方向に回動して案内ガイド１６ｂの壁面の内側面に堆積した芝草類を除去できる。  
この構成例はモーア６の上下移動と連動させて芝草類除去アーム４８を回動させるため、芝草の刈り取り作業中でも案内ガイド１６ｂの内壁部に詰まった芝草類を除去できる。
【００２７】
また、図７の分解斜視図に示すようにモーア６とコレクタ１５の間に配置するシュータ１４の中間部を構成する搬送シュータ１４ａをワンタッチで芝刈機の機体に取り付け、取り外しが可能な構成とする。
【００２８】
搬送シュータ１４ａには一対の取っ手１４ｄ、１４ｄを設け、さらに、搬送シュータ１４ａの両端にはコンテナ側シュータ１４ｂとモーア側シュータ１４ｃの外周部にそれぞれ合致する内壁部を有する合わせ部１４ａ１、１４ａ２を設け、該合わせ部１４ａ１、１４ａ２が挿入可能な板バネ１４ｂ１、１４ｃ１を対応するコンテナ側シュータ１４ｂとモーア側シュータ１４ｃにはそれぞれを配置し、接合部に隙間ができないように構成する。なお、コンテナ側シュータ１４ｂの板バネ１４ｂ１は機体に設けた取付部２ａに着脱自在に配置する。  
この構成によりコレクタ１５を外さずに取っ手１４ｄ、１４ｄを把持しながら、搬送シュータ１４ａを抜いてシュータ１４ａ、１４ｂ、１４ｃの内部の詰まった芝草類の除去を行うことができる。
【００２９】
また、図８の斜視図に示すように、案内ガイド１６ｂには刈刃５の気風翼５Ｂが通過できる最小限の通過空間１６ｂ１を設け、円筒部１６ａと案内ガイド１６ｂの接続部１６ｘに詰まる芝草類をなくすと共に案内ガイド１６ｂからシュータ１４への芝草類の排出性能を維持できるようにする。また、芝草類の堆積が可能な距離を少なくすることで、前記接続部１６ｘでの大量の芝草類詰まりを防止するため、重負荷条件でも連続刈取作業が可能となる。
【００３０】
従来は重負荷条件下の作業では前記接続部に芝草類が堆積し成長していくため案内ガイド１６ｂの排出口が塞がり、連続的な芝刈り作業ができなくなる場合があったが、上記構成にすることで前記接続部１６ｘの芝草類の詰まりを少なくでき、また前記接続部１６ｘの堆積芝草類の成長を防止できる。
【００３１】
また、図９の斜視図に示すように、前記接続部より上部にある案内ガイド１６ｂの円筒部側壁面１６ｂ２の下端を斜めに構成し、芝草の通過空間１６ｂ１の大きさを刈刃５の気風翼５Ｂが通過可能な最小限の大きさに限りなく近づけることで芝草類の堆積を少なくすると共に堆積しようとする芝草類が下方に落下しやすくした構成にしても良い。
【００３２】
本実施例の芝刈機はエンジンの回転数を制御するスロットルレバー５０（図１）とモーア等のＰＴＯを作動させるＰＴＯの作動制御用のＰＴＯレバー５１（図１）を備えているが、スロットルレバー５０の位置に関係なく、ＰＴＯレバー５１を作動させるとフルスロットル状態となるような構成にする。
【００３３】
図１０にそのための構成を示す。  
エンジンのスロットルを連動するスロットルアーム５３は、その支軸５３ｂを中心として揺動可能に設けられ、ワイヤ５４、ワイヤ止金具５０ｃ、ボスアーム５０ｂ、ボス５０ａを介してスロットルレバー５０に連結されていて、該スロットルレバー５０の旋回操作によってスロットルアーム５３を揺動しエンジン回転を調整できる構成である。
【００３４】
また、スロットルアーム５３とインナワイヤ５４ａとアウタワイヤ５４ｂからなるワイヤ５４を連結するアーム５３ａを延長し、該延長部にＰＴＯレバー５１に連動させるためにワイヤ５５を介在している。ＰＴＯレバー５１が前記テンションプーリ３５（図１（ａ）参照）を作動させてＰＴＯ入りの状態とするが、この操作に連動してワイヤ５５が引かれてスロットルアーム５３を揺動しスロットル開度を大となす。そしてその揺動は全開ストッパ５７に接当する位置で停止される構成である。なお、このときスロットルレバー５０は、図１０（ｂ）に示すようにワイヤ５４のインナワイヤ５４ａがワイヤ止め金具５０ｃの融通孔５１ｃ１を介してワイヤ止金具５０ｃをもって逃げ、該レバー５０に作動力を及ぼさない。
【００３５】
上記のように構成されるから、ＰＴＯレバー５１を入りに操作すると、ワイヤ５５の牽引作用でスロットルアーム５３を引いて、ストッパ５７に接当する全開位置まで操作される。したがって、刈取作業中は、常にフルスロットルの状態を維持しうる。  
なお、作業をしないで圃場間移動を行う場合には、ＰＴＯレバー５１が戻される結果、スロットルアーム５３は閉じ側位置に引かれる。  
この状態においては、スロットルの作動はスロットルレバー５０の操作に基づくものである。
【００３６】
また、他の実施例の刈刃５の入力伝動構成を示す平面図を図１１に示す。すなわち、図１１は、ＰＴＯ動力をエンジンのクランク軸として機体前方に出し、さらにベルト伝動等によって低い位置に動力取出し可能に構成する場合の伝動構成である。なお、図１２は図１１のサイズの異なる２種類のモーアデッキ１６を同一図面に同時に示す平面図である。図１１と図１２の平面図に示すように、駆動ユニバーサルジョイント６０、第１入力軸６１、伝動プーリ６２、６３、駆動ベルト６５、第２入力軸６６、ベベル伝動機構６７等を経て駆動入力する構成である。
【００３７】
本実施例のモーア６ではモーアデッキ１６のサイズは直径４８インチと５４インチの２種類のものが共用可能になっている。そのため入力軸６１からベベル伝動機構６７までの前後距離（Ｌ１）と第２入力軸６６の前後長さ（Ｌ２）を２種類のモーアデッキ１６のサイズで同じとなるように構成した。  
こうして、第１入力軸６０、第２入力軸６６及びベルト部カバー６８の共用化が図れ、コストダウンにつながる。
【００３８】
図１３の側面図には本発明の他の実施例の芝刈機の側面図を示す。図１４には図１３の部分拡大図を示し、図１５には図１４の斜視図を示す。この実施例の特徴はコレクタ１５の基部において、コレクタ１５の昇降用シリンダ７０の基端部を枢着する可動プレート７１をシリンダ保持用の固定プレート７２（コレクタ支持部材７３に固着）に対して回動調節可能に設け、この可動プレート７１を偏芯プレート７５の回動によって微調整可能に設け、シリンダ７０の基部の位置調整を可能にした構成である。
【００３９】
可動プレート７１には円弧状の長穴７１ａがあり、該長穴７１ａは固定プレート７２に突出して設けたボルト７６を緩めることにより摺動可能に配置する。なお可動プレート７１はシリンダ７０の基端部を固着した偏芯プレート７５に固定されている。そして該偏芯プレート７５は、固定プレート７２にくりぬいた円形孔７２ｂに回転可能に嵌合されていて、該偏芯プレート７５の回転中心７５ｂが前記円弧状長穴７１ａの回動中心に一致している。
【００４０】
上記偏芯プレート７５の回転中心７５ｂとはずれた位置に、シリンダ固定穴７５ａを形成し、シリンダ固定ピン７０ａを挿通して固定している。したがって、回転中心７５ｂ回りに偏芯プレート７５を回転させると、可動プレート７１は図１４の矢印Ａ又は矢印Ｂの方向に移動し、かつシリンダ固定穴７５ａが、矢印Ｃ又はＤ方向に移動する。
【００４１】
こうしてシリンダ７０の固定ピン７０ａの位置を調整でき、シリンダ７０の取付位置を決めた後には、ボルト７６で長穴７１ａ内での位置がずれないように固定プレート７２のボルト穴７２ａを介して締め付けることで、コレクタ支持部材７３への取付位置が固定される。
【００４２】
従来のシリンダ取付位置は調節ができず、シリンダ７０を最下げにしたときのコレクタ１５の位置の調整が困難でコレクタ１５が傾くなどしていたが、上記構成により、ボルト７６でシリンダ７０の固定位置を簡単に調節でき、しかも素早く力を入れずにシリンダ７０の固定位置を調節できる。
【産業上の利用可能性】
【００４３】
本発明によれば、芝草類の刈刃による刈り取りから収納コレクタ内への収納までの一連の動きを効率的に行うことができるので、産業上の利用可能性が高い。
【図面の簡単な説明】
【００４４】
【図１】本発明の一実施例の乗用芝刈機の左側面図（図１（ａ））とその一部の駆動機構図（図１（ｂ））である。
【図２】図１の乗用芝刈機の平面図である。
【図３】図１の乗用芝刈機のモーアのプーリとベルトとテンションプーリとの平面配置図である。
【図４】図１の乗用芝刈機のモーアデッキの斜視図である。
【図５】図１の乗用芝刈機のモーアデッキの全体斜視図（図５（ａ））とモーアデッキの円筒部側から見た部分斜視図（図５（ｂ））とモーアデッキ内部の平面図（図５（ｃ））である。
【図６】図１の乗用芝刈機のモーアデッキの斜視図である。
【図７】図１の乗用芝刈機のモーアとコレクタの間に配置するシュータの分解斜視図である。
【図８】図１の乗用芝刈機の斜視図である。
【図９】図１の乗用芝刈機のモーアデッキの斜視図である。
【図１０】図１の乗用芝刈機のスロットルレバーとＰＴＯレバーを作動させるとフルスロットル状態となるような構成のための連動機構図である。
【図１１】図１の乗用芝刈機の他の実施例の刈刃の入力伝動構成を示す平面図である。
【図１２】図１１のサイズの異なる２種類のモーアデッキを同時に示す平面図である。
【図１３】本発明の一実施例の乗用芝刈機の左側面図である。
【図１４】図１３の部分拡大図である。
【図１５】図１３の部分分解斜視図である。
【符号の説明】
【００４５】
３  前輪                          ４  後輪
５  刈刃                          ５Ａ  刃縁
５Ｂ  起風翼                      ６  モーア
７  フロア                        ８  ステアリングコラム
１０  ハンドル                    １１  操縦席
１２  ミッションケース            １４  シュータ
１４ａ  搬送シュータ              １４ａ１、１４ａ２  合わせ部
１４ｂ  コンテナ側シュータ        １４ｃ  モーア側シュータ
１４ｂ１、１４ｃ１  板バネ        １４ｄ  取っ手
１５  コレクタ                    １６  モーアデッキ
１６ａ  円筒部                    １６ｂ  案内ガイド
１６ｂ１  通過空間                １６ｂ２  円筒部側の壁面
１６ｃ  支持部                    １６ｘ  接続部
２０  伝動軸                      ２１  伝動ケース
２２  入力軸                      ２４  第一出力軸
２５  第二出力軸                  ２６、２７  縦軸
２４ａ、２５ａ、２６ａ、２７ａ  プーリ
２９  伝動ベルト                  ３０  ＨＳＴ冷却ファン
３１  伝動ケース                  ３２ａ  プーリ
３４  伝動ベルト                  ３５  テンションプーリ
３７  縦軸                        ３７ａ、３８ａ  ギア
３７ｂ  プーリ                    ３８  第一刈刃軸
４０  第二刈刃軸                  ４０ａ  プーリ
４１  ベルト                      ４２  テンションプーリ
４３、４４  テンションアーム      ４５  側板
４５ａ  側板ハンドル              ４５ｂ  回動軸
４５ｃ  アーム                    ４５ｄ  リンク部材
４６  芝草除去アーム              ４６ａ  回動軸
４６ｂ  アーム                    ４６ｃ  操作レバー
４７  ワイヤ                      ４７ａ  アウタワイヤ
４７ｂ  インナワイヤ              ４８  芝草類除去アーム
４８ａ  回動軸                    ４９  アーム
５０  スロットルレバー            ５０ａ  ボス
５０ｂ  ボスアーム                ５０ｃ  ワイヤ止金具
５０ｃ１  融通孔                  ５１  ＰＴＯレバー
５３  スロットルアーム            ５３ａ  連結アーム
５３ｂ  支軸                      ５４  スロットルワイヤ
５４ａ  インナワイヤ              ５４ｂ  アウタワイヤ
５５  ＰＴＯ作動用ワイヤ          ５７  全開ストッパ
６０  駆動ユニバーサルジョイント  ６１  第１入力軸
６２、６３  伝動プーリ            ６５  駆動ベルト
６６  第２入力軸                  ６７  ベベル伝動機構
６８  ベルト部カバー              ７０  コレクタ昇降用シリンダ
７０ａ  シリンダ固定ピン          ７１  可動プレート
７１ａ  長穴                      ７２  固定プレート
７２ａ  ボルト穴                  ７２ｂ  円形穴
７３  コレクタ支持部材            ７５  偏芯プレート
７５ａ  シリンダ固定穴            ７５ｂ  回転中心
７６  ボルト
【図１】
2008182997.tif 000003
【図２】
2008182997.tif 000004
【図３】
2008182997.tif 000005
【図４】
2008182997.tif 000006
【図５】
2008182997.tif 000007
【図６】
2008182997.tif 000008
【図７】
2008182997.tif 000009
【図８】
2008182997.tif 000010
【図９】
2008182997.tif 000011
【図１０】
2008182997.tif 000012
【図１１】
2008182997.tif 000013
【図１２】
2008182997.tif 000014
【図１３】
2008182997.tif 000015
【図１４】
2008182997.tif 000016
【図１５】
2008182997.tif 000017